(57)【要約】      （修正有）【課題】調心ツールの係合状態を維持したままで、互いに突合せた一組の光ファイバコネクタ間の調心を達成できる光ファイバコネクタ用調心ツール及びその調心方法を提供する。【解決手段】調心ツール２０は、アウタハウジング２２と、第１プラグ調心ディスク２４と、アウタハウジングの中に嵌装されたインナハウジング２８と、インナハウジングに装着された第２プラグ調心ディスク３０と、スプリットスリーブ２６とを備えている。第１プラグ調心ディスクはそれから延出した第１アダプタ５２を備えており、第２プラグ調心ディスクはそれから延出した第２アダプタ５８を備えている。スプリットスリーブ６は、第１アダプタ及び第２アダプタの中に嵌装されており、スプリットスリーブの中に第１フェルール５６及び第２フェルール６０が挿入されるように構成されている。また、その調心ツールを用いた光ファイバコネクタの調心方法を開示する。【選択図】図４
2004272222.tif 000002
【特許請求の範囲】
【請求項１】
光ファイバコネクタに調心を施すための調心ツールにおいて、
アウタハウジングと、第１プラグ調心ディスクと、前記アウタハウジングの中に嵌装されたインナハウジングと、第２プラグ調心ディスクと、スプリットスリーブとを備え、
前記アウタハウジングには、開口部が形成されており、
前記第１プラグ調心ディスクは、該第１プラグ調心ディスクの第１側面から延出した第１スプラインソケット及び第１アダプタを備えており、前記第１アダプタは、前記アウタハウジングの前記開口部を通って延出しており、前記第１アダプタは、その中に第１コネクタの第１フェルールが挿入されるように構成されており、
前記インナハウジングは、該インナハウジングの第１側面から延出した第２スプラインソケットを備えており、
前記第２プラグ調心ディスクは、前記インナハウジングの前記第１側面に装着されており、前記第２プラグ調心ディスクは、該第２プラグ調心ディスクの第１側面から延出した第２アダプタを備えており、前記第２アダプタは、その中に第２コネクタの第２フェルールが挿入されるように構成されており、
前記スプリットスリーブは、前記第１アダプタ及び前記第２アダプタの中に嵌挿されており、該スプリットスリーブの中に、前記第１フェルール及び前記第２フェルールが挿入されるように構成されている、
ことを特徴とする調心ツール。
【請求項２】
前記アウタハウジングは４個のスナップ式係合部を備えており、それらスナップ式係合部は、前記インナハウジングに形成されている４個の係合ポケットに係合するものであることを特徴とする請求項１記載の調心ツール。
【請求項３】
前記スナップ式係合部と前記係合ポケットとを係合させたならば、前記第１プラグ調心ディスクと前記インナハウジングとの位置を一定に維持することが可能となるようにしてあることを特徴とする請求項２記載の調心ツール。
【請求項４】
前記スナップ式係合部と前記係合ポケットとを係合させたならば、前記インナハウジングと前記アウタハウジングとが完全に固定されるようにしてあることを特徴とする請求項２記載の調心ツール。
【請求項５】
前記アウタハウジングは４個の係合弾性片を備えており、それら係合弾性片の各々は２本の割り溝によって画成されており、それら係合弾性片によって、前記スナップ式係合部が弾性変位して前記係合ポケットに係合できるようにしてあることを特徴とする請求項２記載の調心ツール。
【請求項６】
前記アウタハウジングは少なくとも３個の付勢弾性片を備えており、それら付勢弾性片は、前記第１プラグ調心ディスクと前記インナハウジングとを係合した状態に維持するための付勢力を発生するものであることを特徴とする請求項１記載の調心ツール。
【請求項７】
前記第１プラグ調心ディスクには、前記付勢弾性片が摺接する外縁環状面が形成されていることを特徴とする請求項６記載の調心ツール。
【請求項８】
前記第１コネクタを前記第１アダプタに挿し込んだときに、複数本のスプラインが形成されている第１フェルールホルダが、前記第１スプラインソケットに嵌合するようにしてあることを特徴とする請求項１記載の調心ツール。
【請求項９】
前記第１スプラインソケットによって、調心作業の実行中に、前記第１アダプタに対する前記第１フェルールホルダの位置を一定に維持できるようにしてあることを特徴とする請求項８記載の調心ツール。
【請求項１０】
前記第１プラグ調心ディスクは８個のデテント係合突部を備えており、それらデテント係合突部は、前記インナハウジングに形成されている８個のデテント係合ポケットに係合するものであることを特徴とする請求項１記載の調心ツール。
【請求項１１】
前記８個のデテント係合ポケットと前記８個のデテント係合突部とによって、前記第１コネクタと前記第２コネクタとを４５°刻みで回転させることを可能にし、前記第１コネクタと前記第２コネクタとの間の調心状態が最適になる回転位置を判定できるようにしてあることを特徴とする請求項１０記載の調心ツール。
【請求項１２】
前記第２コネクタを前記第２アダプタに挿し込んだときに、複数本のスプラインが形成されている第２フェルールホルダが、前記第２スプラインソケットに嵌合するようにしてあることを特徴とする請求項１記載の調心ツール。
【請求項１３】
前記インナハウジングによって、調心作業の実行中に、前記第２アダプタに対する前記第２フェルールホルダの回転位置を一定に維持できるようにしてあることを特徴とする請求項１２記載の調心ツール。
【請求項１４】
前記インナハウジングは４個のスナップ式係合部を備えており、それらスナップ式係合部は、前記第２プラグ調心ディスクを前記インナハウジングに係止するものであることを特徴とする請求項１記載の調心ツール。
【請求項１５】
光ファイバコネクタの調心方法において、
アウタハウジングと、第１アダプタを備えた第１プラグ調心ディスクと、前記アウタハウジングの中に嵌装されたインナハウジングと、第２アダプタを備え前記インナハウジングに装着された第２プラグ調心ディスクと、前記第１アダプタ及び前記第２アダプタの中に嵌装されており第１フェルール及び第２フェルールがその中に挿入されるように構成されたスプリットスリーブとを備えた調心ツールを用意し、
前記第１アダプタに第１コネクタを挿し込み、前記第２アダプタに第２コネクタを挿し込むことによって、前記調心ツールの内部において、それら一組のコネクタを互いに突き合わされた状態にし、
前記第１アダプタの回転位置に対して前記第２アダプタの回転位置を揃えることによって、基準回転位置を確立し、
前記基準回転位置における前記一組のコネクタの間の接続損失を測定し、
前記第１プラグ調心ディスクを第１回転方向へ４５°回転させて前記一組のコネクタの間の接続損失を測定し、
前記第１回転方向への回転及び測定を行う前記ステップを更に３回反復して実行し、
前記調心ツールを第２回転方向へ回転させて前記基準回転位置に戻し、
前記第１プラグ調心ディスクを前記第２回転方向へ４５°回転させて前記一組のコネクタの間の接続損失を測定し、
前記第２回転方向への回転及び測定を行う前記ステップを更に３回反復して実行し、
前記一組のコネクタを最適性能が得られる回転位置へ回転させ、
前記第２アダプタを回転させて前記第１アダプタの回転位置に対して前記第２アダプタの回転位置を揃えることによって前記一組のコネクタの間の調心を達成する、
ことを特徴とする方法。
【請求項１６】
前記調心ツールから前記一組のコネクタを取外すステップを更に含むことを特徴とする請求項１５記載の方法。
【発明の詳細な説明】
【技術分野】
【０００１】
本発明は、光ファイバコネクタに関し、より詳しくは、光ファイバコネクタに調心を施すための調心ツールに関する。
【背景技術】
【０００２】
光ファイバコネクタに調心を施すための調心ツールは、通信の分野において公知のものである。公知の調心ツールを開示した文献としては、例えば米国特許第6,287,018号公報（Lucent Technologies）がある。同米国特許公報には、一定の角度刻みで回転させるように構成した調心ツールと、その調心ツールと併せて使用する調心レンチとが開示されており、それらを用いてＬＣ型光ファイバコネクタに調心を施すようにしている。同米国特許公報に教示されているところによれば、光ファイバコネクタに調心を施すには、先ず、互いに突き合わせた状態にした一組のコネクタの間の回転位置を、一定の角度刻みで変化させて、それらコネクタの間の接続損失が最小になる回転位置を判定する。続いて、調心を施そうとするコネクタを調心ツールから取外し、調心レンチを使用して、そのコネクタの中のフェルールを更に押し込むことによって、そのフェルールと調心機構との係合を解除し、そして更に、そのコネクタのフェルールを時計回りまたは反時計回りに回転させることによって、そのコネクタを「調心が施された」状態にする。
【特許文献１】米国特許第6,287,018号公報
【発明の開示】
【発明が解決しようとする課題】
【０００３】
しかしながら、上述した米国特許第6,287,018号公報に開示されている調心ツールを含めて、光ファイバコネクタに調心を施すための従来の調心ツールのうちに、互いに突き合わせた一組の光ファイバコネクタをその調心ツールに装着した状態のままで、また、調心作業の最終段階でその調心ツールとは別体のツールを使用することなく、また、調心機構の係合状態を維持したままで、それら一組の光ファイバコネクタの間の調心を達成することのできる調心ツールは１つもなかった。
【０００４】
従って、互いに突き合わせた一組の光ファイバコネクタをその調心ツールに装着した状態のままで、それら一組の光ファイバコネクタの間の調心を達成することのできる、光ファイバコネクタに調心を施すための調心ツールを提供することが望まれている。
【０００５】
また、調心作業の最終段階でその調心ツールとは別体のツールを使用することなく、互いに突き合わせた一組の光ファイバコネクタの間の調心を達成することのできる、光ファイバコネクタに調心を施すための調心ツールを提供することが望まれている。
【０００６】
更に、調心機構の係合状態を維持したままで、互いに突き合わせた一組の光ファイバコネクタの間の調心を達成することのできる、光ファイバコネクタに調心を施すための調心ツールを提供することが望まれている。
【課題を解決するための手段】
【０００７】
ここに開示するのは、光ファイバコネクタに調心を施すための調心ツールである。この調心ツールは、アウタハウジングと、第１プラグ調心ディスクと、アウタハウジングの中に嵌装されたインナハウジングと、前記インナハウジングに装着された第２プラグ調心ディスクと、スプリットスリーブとを備えている。第１プラグ調心ディスクはこの第１プラグ調心ディスクから延出した第１アダプタを備えており、第２プラグ調心ディスクはこの第２プラグ調心ディスクから延出した第２アダプタを備えている。また、スプリットスリーブは、第１アダプタ及び第２アダプタの中に嵌装されており、このスプリットスリーブの中に第１フェルール及び第２フェルールが挿入されるように構成されている。
【０００８】
好ましい構成として、アウタハウジングには、開口部が形成されている。また、アウタハウジングは４個のスナップ式係合部を備えており、それらスナップ式係合部は、インナハウジングに形成されている４個の係合ポケットに係合するものである。そして、スナップ式係合部と係合ポケットとを係合させたならば、第１プラグ調心ディスクとインナハウジングとの間の回転位置を一定に維持することが可能となり、インナハウジングとアウタハウジングとが完全に固定されるようにしてある。また、アウタハウジングは４個の係合弾性片を備えており、それら係合弾性片の各々は２本の割り溝によって画成されており、それら係合弾性片により、スナップ式係合部が弾性変位して係合ポケットに係止できるようにしてある。また更に、アウタハウジングが少なくとも３個の付勢弾性片を備えており、それら付勢弾性片は、第１プラグ調心ディスクとインナハウジングとを係合した状態に維持するための付勢力を発生するものである。
【０００９】
同じく好ましい構成として、第１プラグ調心ディスクは、この第１プラグ調心ディスクの第１側面から延出した第１スプラインソケット及び第１アダプタを備えている。また、第１コネクタを第１アダプタに挿し込んだときに、複数本のスプラインが形成されている第１フェルールホルダが、第１スプラインソケットに嵌合するようにし、この第１スプラインソケットにより、調心作業の実行中に、第１アダプタに対する第１フェルールホルダの回転位置を一定に維持できるようにしてある。また更に、第１プラグ調心ディスクは８個のデテント係合突部を備えており、それらデテント係合突部は、前記インナハウジングに形成されている８個のデテント係合ポケットに係合するものであり、それらが係合することにより、第１コネクタと第２コネクタとを４５°刻みで回転させることを可能にし、それによって、第１コネクタと第２コネクタとの間の調心状態が最適になる回転位置を判定できるようにしてある。
【００１０】
同じく好ましい構成として、インナハウジングは、このインナハウジングの第１側面から延出した第２スプラインソケットを備えている。また、第２コネクタを第２アダプタに挿し込んだときに、複数本のスプラインが形成されている第２フェルールホルダが、第２スプラインソケットに嵌合するようにし、このインナハウジングにより、調心作業の実行中に、第２アダプタに対する第２フェルールホルダの回転位置を一定に維持できるようにしてある。また更に、インナハウジングは４個のスナップ式係合部を備えており、それらスナップ式係合部は、第２プラグ調心ディスクをインナハウジングに係止するものである。
【発明を実施するための最良の形態】
【００１１】
図面に示した本発明の実施の形態は、互いに突き合わせた一組の光ファイバコネクタをその調心ツールに装着した状態のままで、また、調心作業の最終段階でその調心ツールとは別体のツールを使用することなく、また、調心機構の係合状態を維持したままで、それら一組の光ファイバコネクタの間の調心を達成することのできる、光ファイバコネクタに調心を施すための調心ツールである。
【００１２】
図１に示した調心ツール２０は、ＬＣ型光ファイバコネクタに調心を施すための調心ツールである。図示したＬＣ型光ファイバコネクタは、調心可能な光ファイバコネクタであり、この種のコネクタは、例えば米国特許出願第10/354,273号などに開示されている。また、同米国特許出願の開示内容は、この言及をもって本願の開示に組込まれたものとする。尚、本発明の原理は、これ以外の型式の光ファイバコネクタにも適用可能であり、例えば、ＳＴ型、ＳＣ型、ＦＣ型、ＦＪ型などの光ファイバコネクタにも適用することができる。
【００１３】
図１〜図５に示したように、調心ツール２０は、アウタハウジング２２、第１プラグ調心ディスク２４、スプリットスリーブ２６、インナハウジング２８、それに、第２プラグ調心ディスク３０を備えている。図１には、第１コネクタ３２及び第２コネクタ３４を挿し込む前の調心ツール２０を示した。図２は、調心ツール２０の背面側を示した斜視図である。図３は、第１コネクタ３２及び第２コネクタ３４を挿し込んだ調心ツール２０の斜視図である。
【００１４】
図４及び図５に示したように、アウタハウジング２２には、開口部３６が形成されている。アウタハウジング２２は４個のスナップ式係合部３８を備えており、それらスナップ式係合部３８は、インナハウジング２８に形成されている４個の係合ポケット４０に係合するものである。スナップ式係合部３８と係合ポケット４０とを係合させたならば、第１プラグ調心ディスク２４とインナハウジング２８との間の回転位置を一定に維持することが可能となり、また、それらの係合により、インナハウジング２８とアウタハウジング２２とが完全に固定される。
【００１５】
図４から明らかなように、アウタハウジング２２は更に、４個の係合弾性片４２を備えている。各々の係合弾性片４２は２本の割り溝４４によって画成されており、それら係合弾性片４２によって、スナップ式係合部３８が弾性変位して、インナハウジング２８に形成されている係合ポケット４０に係合できるようにしてある。図５から明らかなように、アウタハウジング２２は更に、４個の付勢弾性片４６を備えている。調心ツール２０を組立てたならば、それら付勢弾性片４６は、第１プラグ調心ディスク２４とインナハウジング２８とを係合した状態に維持するための付勢力を発生する。
【００１６】
図５から明らかなように、第１プラグ調心ディスク２４には、外縁環状面４８が形成されており、調心ツール２０を組立てたならば、アウタハウジング２２の付勢弾性片４６がこの外縁環状面４８に摺接するようになる。図６に示したように、第１プラグ調心ディスク２４は、この第１プラグ調心ディスク２４の第１側面５４から延出した第１スプラインソケット５０及び第１アダプタ５２を備えている。第１アダプタ５２は、アウタハウジング２２の開口部３６を通って延出しており、また、この第１アダプタ５２は、その中に第１コネクタ３２の第１フェルール５６が挿入されるように構成されている。更に、図７に示したように、第１コネクタ３２を第１アダプタ５２に挿し込んだときには、第１フェルール５６が、スプリットスリーブ２６の中点を超えて向こう側まで入り込み、このスプリットスリーブ２６の全長のうちの半分より多くの部分を占有する。そして、図８に示したように、続いて第２コネクタ３４を第２アダプタ５８に挿し込んだならば、第２フェルール６０が第１フェルール５６に当接して、第１フェルール５６を押し戻すため、第１フェルール５６は、スプリットスリーブ２６の全長のうちの丁度半分を占有する位置まで戻される。
【００１７】
図６〜図８から明らかなように、第１スプラインソケット５０は、外周面に４５°間隔で８本のスプライン６４が形成されている第１フェルールホルダ６２が、この第１スプラインソケット５０の中に嵌合するように構成されている。第１スプラインソケット５０の形状は、第１フェルールホルダ６２の８本のスプライン６４に合わせてあり、この第１スプラインソケット５０によって、調心作業の実行中に、第１アダプタ５２に対する第１フェルールホルダ６２の回転位置を一定に維持できるようにしている。図４から明らかなように、第１プラグ調心ディスク２４には、この第１プラグ調心ディスク２４の第２側面６８から突出した８個ののデテント係合突部６６が形成されている。それらデテント係合突部６６は、インナハウジング２８に形成されている８個のデテント係合ポケット７０に係合するものであり、これよって調心作業が容易化されている。図４に示したように、デテント係合ポケット７０と、デテント係合突部６６とは、いずれも４５°間隔で形成されており、それらによって、第１コネクタ３２と第２コネクタ３４とを４５°刻みで回転させることを可能にし、そして、それらコネクタ３２、３４の間の調心状態が最適になる回転位置を判定できるようにしてある。
【００１８】
図４に示したように、インナハウジング２８は、このインナハウジング２８の第１側面７４から延出した第２スプラインソケット７２を備えている。図８に示したように、調心ツール２０を組立てて、第１コネクタ３２及び第２コネクタ３４を挿し込んだならば、第２スプラインソケット７２の中に、外周面に４５°間隔で８本のスプライン７８が形成されている第２フェルールホルダ７６が嵌合するようにしてある。第２スプラインソケット７２の形状は、第２フェルールホルダ７６の８本のスプライン７８に合わせてあり、この構成とすることで、インナハウジング２８によって、調心作業の実行中に、第２アダプタ５８に対する第２フェルールホルダ７６の回転位置を一定に維持できるようにしている。
【００１９】
図３に示したように、第２プラグ調心ディスク３０は、インナハウジング２８の第１側面７４に装着されており、４個のスナップ式係合部８０によって、インナハウジング２８に係止されている。第２プラグ調心ディスク３０は、それらスナップ式係合部８０によって規制された位置において回転させることができるようにしてある。更に、第２プラグ調心ディスク３０は、第２アダプタ５８を備えている。第２アダプタ５８は、第２プラグ調心ディスク３０の第１側面８２から延出しており、調心作業の実行中は、この第２アダプタ５８に、第２コネクタ３４の第２フェルール６０が挿入されている。
【００２０】
使用法について説明すると、先ず、図７に示したように、第１アダプタ５２に第１コネクタ３２を挿し込み、更に、図８に示したように、第２アダプタ５８に第２コネクタ３４を挿し込むことによって、調心ツール２０の内部において、それら一組のコネクタを互いに突き合わされた状態にする。図８に示したように、第１フェルール５６及び第２フェルール６０には、夫々、マーク８４及び８６が付けられており、それらマーク８４、８６によって基準回転位置にあることが分かるようにしてある。ユーザは、基準回転位置において、突き合わされた状態にある一組のコネクタの間の接続損失を測定する。ここでは説明の都合上、基準回転位置にあるときには、それらコネクタが最適な調心状態にはないものとする。最適な調心状態にないときには、図９に示したように、第１フェルール５６の光ファイバのコアと第２フェルール６０の光ファイバのコアとが、互いにずれて位置している。
【００２１】
図１０及び図１１に示したように、調心作業を開始する時点で、第１フェルールホルダ６２は第１アダプタ５２の中に収容され、第２フェルールホルダ７６は第２アダプタ５８の中に収容されている。ユーザは、一方の手で調心ツール２０のアウタハウジング２２を摘み、他方の手で調心ツール２０の第１アダプタ５２を摘んだならば、第１プラグ調心ディスク２４を引っ張って、この第１プラグ調心ディスク２４とインナハウジング２８との係合を解除し、そして、摘んでいる第１アダプタ５２とアウタハウジング２２とを、夫々の側から見て同時に時計回りに回転させることによって、第１プラグ調心ディスク２４をアウタハウジング２２に対して４５°回転させる。図１２は調心ツール２０の端面図であり、第１アダプタ５２に挿し込んだ第１コネクタ３２を時計回りに回転させている途中の状態を示したものである。図１３に示したように、第１プラグ調心ディスク２４を引っ張って回転させる際に、互いに突き合わされた状態にあった一組のコネクタは、それらの端面どうしが引き離され、またそれと共に、デテント係合突部６６とデテント係合ポケット７０との係合が解除される。こうして基準回転位置から４５°回転させたならば、ユーザは、互いに突き合わされた状態にある一組のコネクタの間の接続損失を測定し、その接続損失の値を記録する。ユーザは、このように時計回りに４５°回転させては接続損失を測定するステップを、更に３回反復して実行することによって、基準回転位置における接続損失の値から、基準回転位置から時計回りに１８０°回転させた回転位置における接続損失の値までを記録する。
【００２２】
次に、ユーザは、調心ツール２０を反時計回りに回転させて基準回転位置に戻す。続いてユーザは、第１プラグ調心ディスク２４をアウタハウジング２２に対して４５°反時計回りに回転させた上で、互いに突き合わされた状態にある一組のコネクタの間の接続損失を測定する。ユーザは、このように反時計回りに４５°回転させては接続損失を測定するステップを、更に３回反復して実行することによって、基準回転位置における接続損失の値から、基準回転位置から反時計回りに１８０°回転させるた回転位置における接続損失の値までを記録する。尚、別法として、第１プラグ調心ディスク２４を、基準回転位置から時計回りまたは反時計回りのいずれか一方のみの回転方向へ、４５°刻みで回転させて行き、基準回転位置から３６０°回転した回転位置まで回転させるという方法を採用することも考えられる。ただし、この方法とした場合には、互いに突き合わされた状態にある一組のコネクタを一方向にのみ回転させて３６０°回転させることになるため、それらコネクタに接続されている光ケーブルが損傷するおそれが増大する。
【００２３】
図１４は、互いに突き合わされた状態にある一組のコネクタが、最適な調心状態となる回転位置に位置付けられたところを示したものである。この回転位置に位置付けられたとき、第１フェルールのマーク８４と第２フェルールのマーク８６とは、もは同一位置にはない。続いてユーザは、第１アダプタ５２と第２アダプタ５８とを摘み、第２アダプタ５８を回転させることによって、図１５に示したように、第２アダプタ５８の回転位置を第１アダプタ５２の回転位置に揃える。第２アダプタ５８を回転させるときには、第２コネクタのハウジング９０の中に設けられている調心アーム８８（図８参照）が弾性変形して、第２フェルールホルダ７６の外周面のスプラインの断面形状に沿って変位するため、第２コネクタのハウジング９０を第２フェルールホルダ７６に対して回転させることができる。従って、第２アダプタ５８を回転させて、その回転位置を第１アダプタ５２の回転位置に揃えるとき、第２フェルール６０は回転せず、この第２フェルール６０の回転位置は固定したまま維持される。そして、第１アダプタ５２の回転位置と第２アダプタ５８の回転位置とが揃った時点で、互いに突き合わされた状態にある一組のコネクタの間の調心が達成されており、従って、それらコネクタを調心ツール２０から取外した後も、それらコネクタは最適な調心状態となっている。図１６に示したように、互いに突き合わされた状態にある一組のコネクタが最適な調心状態にあるときには、一方のコネクタの第１フェルール５６の光ファイバのコアの位置と、他方のコネクタの第２フェルール６０の光ファイバのコアの位置とが互いに揃っている。
【００２４】
以上開示したように、本発明は、光ファイバコネクタに調心を施すための調心ツールを提供するものである。特に、以上に開示した実施の形態では、調心ツールの内部に４５°間隔で８個のデテント係合突部と８個のデテント係合ポケットとを設け、それらによって調心ツールを４５°刻みで回転させて接続損失を測定できるようにしている。
【００２５】
ただし、以上に説明し図面に示した本発明の実施の形態は、本発明に従って構成することのできる調心ツールが取り得る全ての形態を網羅したものではなく、現時点で認識されている本発明の実施の形態の具体例を示したものに過ぎない。例えば、デテント係合突部及びデテント係合ポケットの個数は８個以上としてもよく、そうすれば、４５°刻みより更に細かい角度間隔で回転及び接続損失の測定を行うことができ、そのようなものも本発明の範囲に含まれる。また更に、本発明は、その他の様々な形態も取り得るものである。
【図面の簡単な説明】
【００２６】
【図１】本発明に係る調心ツールの正面側から見た斜視図であり、２個のコネクタを調心ツールに挿し込む前の状態を示した図である。
【図２】図１の調心ツールの背面側から見た斜視図である。
【図３】図１の調心ツールの正面側から見た斜視図であり、２個のコネクタを調心ツールに挿し込んだ状態を示した図である。
【図４】図１の調心ツールの正面側から見た分解図である。
【図５】図１の調心ツールの背面側から見た分解図である。
【図６】図１の６−６線に沿った断面図である。
【図７】図１の調心ツールの部分断面図であり、第１コネクタを挿し込んだ状態を示した図である。
【図８】図３の調心ツールの部分断面図である。
【図９】図３の調心ツールの模式図であり、調心を施す前に、基準回転位置にある２本の光ファイバのコアの位置がどの程度揃っているかを示した図である。
【図１０】図８の１０−１０線に沿った断面図である。
【図１１】図８の１１−１１線に沿った断面図である。
【図１２】図３の調心ツールの端面図であり、第１アダプタを時計回りに回転させている途中の状態を示した図である。
【図１３】図１２の１３−１３線に沿った断面図である。
【図１４】図３の調心ツールの部分断面図であり、２個のコネクタの間の調心状態が最適となるように、それらコネクタを回転させた状態を示した図である。
【図１５】図３の調心ツールの部分断面図であり、第２アダプタを反時計回りに回転させて、その回転位置を第１アダプタの回転位置に揃えた状態を示した図である。
【図１６】図３の調心ツールの模式図であり、調心を施した後に、２本の光ファイバのコアの位置がどの程度揃っているかを示した図である。
【図１】
2004272222.tif 000003
【図２】
2004272222.tif 000004
【図３】
2004272222.tif 000005
【図４】
2004272222.tif 000006
【図５】
2004272222.tif 000007
【図６】
2004272222.tif 000008
【図７】
2004272222.tif 000009
【図８】
2004272222.tif 000010
【図９】
2004272222.tif 000011
【図１０】
2004272222.tif 000012
【図１１】
2004272222.tif 000013
【図１２】
2004272222.tif 000014
【図１３】
2004272222.tif 000015
【図１４】
2004272222.tif 000016
【図１５】
2004272222.tif 000017
【図１６】
2004272222.tif 000018
【外国語明細書】
2004272222000001.pdf